(57)【要約】【課題】  車両の走行時、特に夜間の走行時にタイヤの露出部位に特定の文字或はロゴなどが発光するようにして視覚的な展示効果を極大化し、場合によっては、使用者自身が選択する特定の文字やロゴをディスプレイすることのできる高付加価値タイヤの生産を可能にするタイヤサイドウォール発光装置及び前記発光装置が装着されたタイヤを提供する。【解決手段】  前記の課題を達成するために、本発明は、タイヤサイドウォールの所定の位置に装着され、少なくとも1つ以上の発光素子が一定の配列で装着された発光パターン形成部；一定周期ごとに定められた発光パターンにより前記各発光素子のオン／オフを制御する発光制御部；及び前記発光制御部と発光素子に電源を供給するための電源供給部を包含する。【選択図】  図１
2007126138.tif 000002
【特許請求の範囲】
【請求項１】
タイヤサイドウォールの所定の位置に装着され、少なくとも１つ以上の発光素子が一定の配列で装着された発光パターン形成部；一定の周期ごとに定められた発光パターンに従って前記各発光素子のオン／オフを制御する発光制御部；及び前記発光制御部と発光素子に電源を供給するための電源供給部を包含してなるタイヤ発光装置。
【請求項２】
タイヤサイドウォールの所定の位置に最初の発光位置を設定するためのセンサー部をさらに包含することを特徴とする請求項１に記載のタイヤ発光装置。
【請求項３】
ディスプレイされる文字或はロゴを選択指定するための入力装置をさらに包含することを特徴とする請求項１に記載のタイヤ発光装置。
【請求項４】
ディスプレイされる文字を直接入力するための入力装置をさらに包含することを特徴とする請求項１に記載のタイヤ発光装置。
【請求項５】
前記入力装置には、ディスプレイされる文字或はロゴのディスプレイ位置を定めることができる位置選定部をさらに包含することを特徴とする請求項３に記載のタイヤ発光装置。
【請求項６】
前記発光素子はＬＥＤであることを特徴とする請求項１に記載のタイヤ発光装置。
【請求項７】
タイヤサイドウォールの所定の位置に装着され、少なくとも１つ以上の発光素子が一定の配列で装着された発光パターン形成部；一定の周期ごとに定められた発光パターンに従って前記各発光素子のオン／オフを制御する発光制御部；及び前記発光制御部と発光素子に電源を供給するための電源供給部を包含するタイヤ発光装置が装着されたタイヤ。
【発明の詳細な説明】
【技術分野】
【０００１】
本発明は、タイヤのサイドウォール発光装置及び該発光装置が装着されたタイヤに関する。より詳細には、車両の走行時、特に夜間走行時にタイヤの露出部位に表示した特定の文字或はロゴなどが発光するようにして視覚的展示効果を最大化し、場合によっては、使用者自身が選択した特定の文字やロゴをディスプレイすることのできる高付加価値タイヤの生産を可能にするタイヤサイドウォール発光装置及び該発光装置が装着されたタイヤに関する。
【背景技術】
【０００２】
最近、タイヤはその機能上の優秀性のみならず視覚的な側面も重視されている。例えば、タイヤの視覚的な展示効果を高めるための方法として、車輪装着式の自家発電発光広告板に関する発明が韓国特許出願第２００３−８７５８号に開示されている。前記の方法によれば、車両のホイールにホイールキャップ形状の広告板を装着して、車輪が回転するときベアリングを使用してホイールキャップ形状の広告板が空回転を行って可視的な展示効果を現すことができるようにした。また、前記の発光広告板は、透明合成樹脂で製作され、発光素子ＬＥＤをその表面に埋め込んで夜間でも広告が良く見えるようにしている。しかし、前記発明においては、可視的な展示効果を表現するためには重量の有る別途の広告板をホイールに装着させる問題があり、さらに、広告板には多数個の発光素子を使用するため、その使用の際には取扱い上の注意が必要であり、電力が多く消費される問題も伴う。その結果、電源を供給する発電機部分の体積が大きくなることも避けられない。
【発明の開示】
【発明が解決しようとする課題】
【０００３】
本発明は、前記のように従来技術が有する問題を勘案しこれを解決するために提案するものである。即ち、本発明の目的は、車両の走行時、特に夜間の走行時にタイヤの露出部位に特定の文字或はロゴなどが発光するようにして視覚的な展示効果を最大化し、場合によっては、使用者自身が選択する特定の文字やロゴをディスプレイすることのできる高付加価値タイヤの生産を可能にするタイヤサイドウォール発光装置及び前記発光装置が装着されたタイヤを提供することである。
【課題を解決するための手段】
【０００４】
本発明の他の目的は、タイヤサイドウォールの所定の位置に装着され、少なくとも１つ以上の発光素子が一定の配列で装着された発光パターン形成部と、一定の周期ごとに定められた発光パターンに従って前記各発光素子のオン／オフを制御する発光制御部と、前記発光制御部と発光素子に電源を供給するための電源供給部とを包含してなるタイヤサイドウォールの発光装置を提供することである。
【０００５】
本発明の更に他の目的は、タイヤサイドウォールの所定の位置に装着され、少なくとも１つ以上の発光素子が一定の配列で装着された発光パターン形成部と、一定の周期ごとに定められた発光パターンに従って前記各発光素子のオン／オフを制御する発光制御部と、前記発光制御部と発光素子に電源を供給するための電源供給部とを包含してなる前記発光装置が装着されたタイヤを提供することである。
【発明を実施するための最良の形態】
【０００６】
以下、本発明における好適な実施形態を添付図面を参照して詳細に説明する。
【０００７】
図１は、本発明の好ましい実施例として提示される発光パターン形成部１の一例が図示されている。発光パターン形成部１は、発光素子１１と、前記発光素子１１と発光制御部４を電気的に接続させるストリップライン１２が形成された基板６とから構成されている。発光素子は、電流の供給によって光を発生することができる限り、特別な制限はなく、例えば、発光ダイオードＬＥＤを使用することができる。前記発光ダイオードＬＥＤは、電気信号を発光信号に転換する素子として後述する発光制御部（図２の符号４）から印加される電気信号によってこれを発光信号に変換する。
【０００８】
発光素子１１は、好ましくは、少なくとも１つ以上の複数個の素子が基板６の上に一列又は多列に配列される。図１には、発光パターン形成部１内における発光素子１１の配列の一例が図示されている。本例の発光素子は、図示のように一列で所定の箇所に配列されており、なお、各素子は発光制御部４から印加される所定の電気信号によりオン／オフされる。また、各素子に対する発光のオン／オフは、所定の周期ごとに行われることによって、このような発光信号は、残像効果を創出して外部から見る人々の目に特定の文字或はロゴとしてディスプレイされることになる。
【０００９】
基板６は、軟性材料、例えば、ポリイミドでなり、内部に銅箔ストリップライン１２を有し、末端に入・出力ポートを設けている。前記基板６は、発光制御部４から出力される電気信号を末端に装着された発光素子１１に伝達する経路を形成する。前記のように構成された発光パターン形成部１は、タイヤのサイドウォールの上に位置させた後、エポキシなどによってコーティングして完全に接着させるか、タイヤのサイドウォールの一部に一定の溝を形成して安定的に、固定することもできる。
【００１０】
図２は、本発明の好ましい実施例として提示される発光装置の全体システムを表す構成図であって、発光装置は、発光パターン形成部１、発光制御部４及び電源供給部５を含んでいる。前記電源供給部５は、発光制御部４に電力を供給し、発光制御部４は前記電力の受信部、マイクロプロセッサ（ＭＩＣＯＭ）及びＬＥＤドライバーを包含している。
【００１１】
特定の文字或はロゴが、ディスプレイされる過程を図３を参照してより詳細に説明する。図３の（ａ）〜（ｃ）は１つの文字或はロゴを形成するための発光パターンの最初と中間及び最後の各段階の状態を模式的に例示している。これは、タイヤの360°/n回転による当該角度内における発光パターン形成部１の状態を示している。例えば、（ａ）の位置は、タイヤの１回転周期ごとに反復され、タイヤの１回転周期はギヤ比が１：１の場合、１０００ｒｐｍ当たり１秒に１７回転することになるので、通常の残像効果を効率的に形成するために要求される１／１６秒の時間間隔を充分に得ることができる。このように、当該位置における発光素子１１の特定発光パターンは、タイヤの１回転周期ほど残像として残り、連続的に発光されているようにディスプレイされる。
【００１２】
同様に、一定時間が経過した後の中間段階（ｂ）及び最終段階（ｃ）の位置においても残像が残ることになり、タイヤの360°/n回転時ごとに前記特定文字がティスプレイされる。この時、nは正数であり示すべき文字のサイズによって設定することができる。例えば、前記ディスプレイしようとする文字を中心角30°以内で表示しようとする場合、nは１２である。
【００１３】
発光制御部４は、電力受信部と前記ＭＩＣＯＭ及びＬＥＤドライバーを包含する。ＭＩＣＯＭで処理されたデジタル信号は、ドライバーを駆動して発光素子を作動させ、前記デジタル信号は、発光パターン形成部１のタイヤにおける位置によって決められる発光パターンを正確にディスプレイするための作動信号を包含する。このような作動信号を制御するためにセンサーを使用することができる。センサーを使用する場合、タイヤにおける文字或はロゴのディスプレイ位置をより正確に固定することができ、必要の場合、発光タイミングを調節してディスプレイする位置をより正確に調整することが可能になる。従って、ディスプレイされる位置は、タイヤサイドウォールの上部、下部又は側部のいずれの個所にでも選択的に固定することが可能になる。センサーは発光パターン形成部１がタイヤトレッド部と地面との接触点から円周状に一定の位置に至るか、又は、車輪の回転速度を考慮してタイヤトレッドの特定部位が地面に接触する時点から一定時間後に発光するように、発光制御部４に感知された信号を印加することができる。例えば、発光パターン形成部１がタイヤサイドウォール３のサイドに装着される場合、車体の所定位置に発光パターン形成部１の位置を感知するセンサーを装着するか、タイヤトレッド部に圧電センサーを設けて地面に前記圧電センサーが接するとき、一定時間（又は一定位置）後に最初の発光信号、例えば、前記図３（ａ）の位置で決められたパターンをディスプレイすることができるように発光制御部４に信号を印加する。このように発光制御部４は、センサーから信号を受信した後、一定時間以後前記図３（ａ）の位置から一定時間の間隔で特定のパターンの発光信号（図３（ｂ）及び（ｃ）の位置における発光信号）をディスプレイするように前記発光パターン形成部１を制御する。前記（ａ）で表示される最初段階の発光位置は、タイミングを調節することによりタイヤサイドウォールの他の位置に調整することができることは前述の通りである。
【００１４】
本発明によるタイヤの発光装置は、使用者が指定した多様な文字或はロゴをディスプレイするように所定形式のファイルでデータベース化することが可能である。このようなデータは、好ましくは、ＭＩＣＯＭ内の貯蔵装置に貯蔵・管理されることができ、使用者の選択によって指定された文字或はロゴをディスプレイすることができる。このような指定動作は車両の内部に装着できる別途の入力装置によりＭＩＣＯＭの入・出力端子を介して実行されることができ、必要によっては使用者が入力装置を通じて直接ディスプレイしようとする文字を入力することもできるようにすることがより好ましい。
【００１５】
図４は、本発明による発光装置の作動過程を示す手順図である。図４のステップ４０１において、運転者が電源をオンにしてディスプレイしようとする文字或はロゴを指定する。これは、運転者の近くに備えられている別途の入力端末装置を利用して行うことができる。入力端末装置を利用して使用者のディスプレイしようとする文字或はロゴの指定が決められた場合、ステップ４０２において、前記ＭＩＣＯＭはセンサーを駆動する。例えば、圧電センサーの場合、タイヤートレッド部が地面に接触する時点で所定の電気信号がＭＩＣＯＭの入力端子を通じて供給され、ＭＩＣＯＭは車輪の現在回転速度の情報をセンサーから受信して前記速度情報に従って発光タイミングを調節し、発光パターン形成部における最初の発光位置から定められている区間まで所定のパターンで発光を実行する。ステップ４０４において、車輪の現在回転速度が一定値以上に変更された場合、発光タイミングを再調節して、発光パターン形成部１における最初の発光位置から定められている区間まで所定のパターンで発光を実行する。
【００１６】
前記発光制御部４などに電力を供給するために別途の電源供給部５が具備される。前記電源供給部５は、所定のバッテリー、例えば、ニッケルカドミウムバッテリーをホイール２の内部に挿入するか、或は回転エネルギーを電気エネルギーに変換可能な発電機であっても良い。さらに、前記電源供給部５は、電力の送・受信機能を果すことのできる装置が装着されて、運転者によってオン／オフが自在にできるようにすることが好ましい。前記電源供給部５と発光パターン形成部１は、厚さ０．３ｍｍ以下の板型電線で連結されるか、厚さ１．２５ｓｑであるゴム、または、シリコン石綿、ニッケル石綿などの材料でコーティングされた電線６で連結されることができる。図５に図示されたように、前記電線は、電源供給部５の外部に引き出され発光パターン形成部１まで連結される。
【００１７】
図５は、本発明による発光装置をタイヤに装着した状態の模式図である。発光パターン形成部１は、タイヤのサイドウォール３に挿入又は装着・固定される。発光制御部４と電源供給部５はそれぞれタイヤホイール２の上端の溝部に装着されている。また、前記発光制御部４と発光パターン形成部１の間の電気的接続は、有線である場合が一般的であるが、無線であっても構わない。また、前記発光制御部４と電源供給部５の位置は、前記ホイールでなくタイヤサイドウォール３の前記発光パターン形成部１とは他の位置に固定されても構わない。
【００１８】
本発明は、前記発光装置を構成する構成要素の全部又は一部を具備するタイヤを提供する。このようなタイヤを提供するために、最小限に要求される構成要素は、タイヤサイドウォール３に装着される発光パターン形成部１、前記発光パターン形成部１に装着される発光素子１１のオン／オフを制御するための発光制御部４と、前記発光素子１１に電力を供給するための電源供給部５である。
【００１９】
図６は、本発明の発光装置をタイヤのサイドウォールに装着して停止から走行中の状態における文字ディスプレイの過程を示す模式図である。本発明によれば、タイヤサイドウォール３が回転状態であるにも拘らず、運転者により指定された文字が発光パターン形成部１における発光パターンによる残像効果によって最初設定された位置で“Ｋ”文字がディスプレイされる状態を示している。
【００２０】
このような本発明による発光タイヤは、極めて優れた視覚性を備えた文字を表示することができ、使用者の選好によって望む文字或はロゴをディスプレイすることが可能になり、幅広い需要を創出することが期待される。
【産業上の利用可能性】
【００２１】
本発明によれば、車両の走行時、特に夜間の走行時にタイヤの露出部位に特定の文字或はロゴなどが発光することによって視覚的な展示効果を最大化し、場合によっては、使用者自身が選択する特定の文字やロゴをディスプレイすることのできる高付加価値タイヤの生産を可能にする。
【００２２】
本発明の好適な実施例が説明の目的で開示されたけれども、当業者であれば、添付の特許請求の範囲に開示された発明の技術的思想の範囲内で、種々の変更や、追加、置換が可能である。
【図面の簡単な説明】
【００２３】
【図１】本発明による発光パターン形成部の好適な実施形態を示す模式図である。
【図２】本発明による発光装置の全体構成を示すブロック図である。
【図３】本発明によるタイヤサイドウォールの回転に従って発光する発光素子の発光パターン図である。（ａ）は所定の文字或はロゴを表示するための最初の発光位置、（ｂ）は中間位置、（ｃ）は最終位置を示す模式図である。
【図４】本発明による発光装置の作動過程を示す手順図である。
【図５】本発明による発光装置をタイヤホイールカバー及びサイドウォールに装着した状態の模式図である。（ａ）はホイールカバーの平面図、（ｂ）はホイールカバーの断面図を示す。
【図６】本発明による発光パターン形成部をタイヤのサイドウォールに装着して走行する状態におけるディスプレイの模形例示図である。
【符号の説明】
【００２４】
１：発光パターン形成部
２：(タイヤ)ホイールカバー
３：タイヤサイドウォール
４：発光制御部
５：電源供給部
６：基板
７：電線
１１：発光素子（ＬＥＤ）
１２：ストリップライン
【図１】
2007126138.tif 000003
【図２】
2007126138.tif 000004
【図３】
2007126138.tif 000005
【図４】
2007126138.tif 000006
【図５】
2007126138.tif 000007
【図６】
2007126138.tif 000008
【外国語明細書】
1   Title of Invention
Light Emitting Device for Tire Sidewall and
Tire Equipped with the Light Emitting Device
2   Detailed Description of
Invention
BACKGROUND
OF THE INVENTION
1. Field of the Invention
The present invention relates,
generally, to light emitting devices for tire sidewalls and tires equipped with
the light emitting devices, more particularly, to a light emitting device for
tire sidewalls capable of maximizing visual effects by enlightening a specified
letter or logo at the exposed portions of a tire when driving a car especially
at night and capable of producing a highly valued tire which can display a
specified letter or logo selected by a user and a tire equipped with the light
emitting device.   
2. Description of the Related Art
Recently, a visual point is considered
important in tires as well as a functional excellence.  The contents
regarding a self-generating light emitting advertisement plate attached on the
wheels as a method for improving visual effects is disclosed in Korean Patent
Application No. 2003-8758.  According to the method, an advertisement
plate is attached on wheels of a vehicle to be applied in the shape of wheelcap
and to show visual effects due to idles of the advertisement plate in the shape
of wheelcap using a bearing when the wheels are driven.  In addition, the
advertisement plate is made of a transparent synthetic resin to bury a light
emitting device LED on the surface so that the advertisements are well shown at
night.  However, the present invention is disadvantageous in that weighty
additional advertisement plates should be attached on the wheels in order to
have visual effects and careful treatment is required because a plurality of
light emitting devices are used.  Furthermore, large power consumption is
inevitable, resulting in increasing the volume of a generator which supplies
power.     
SUMMARY OF THE INVENTION
Accordingly, the present invention
has been made keeping in mind the above problems occurring in the related art,
and an object of the present invention is to provide a light emitting device for tire sidewalls
capable of maximizing visual effects by enlightening a specified letter or logo
at the exposed portions of a tire when driving a car especially at night and
capable of producing a highly valued tire which can display a specified letter
or logo selected by a user and a tire equipped with the light emitting
device.   
Another object of the present
invention is to provide a light
emitting device for a tire sidewall, comprising: a light emitting pattern
forming unit attached on a predetermined position of a tire sidewall, having at
least one light emitting device in a regular array; a light emitting control
unit for controlling on/off of each light emitting device in accordance with a
predetermined light emitting pattern by a regular period; and a power supply
unit for supplying a power to the light emitting control unit and the light
emitting device.  
A further object of the present
invention is to provide a tire equipped
with a light emitting device, comprising: a light emitting pattern forming unit
attached on a predetermined position of a tire sidewall, having at least one
light emitting device in a regular array; a light emitting control unit for
controlling on/off of each light emitting device in accordance with a
predetermined light emitting pattern by a regular period; and a power supply
unit for supplying a power to the light emitting control unit and the light
emitting device.   
DESCRIPTION OF THE
PREFERRED EMBODIMENTS
Hereinafter, embodiments of the
present invention will be described in detail with reference to the attached
drawings.  
FIG. 1 shows an embodiment of a
light emitting pattern forming unit (1) suggested as a preferred embodiment of
the present invention.  The light emitting pattern forming unit (1)
consists of a light emitting device (11) and a substrate (6) on which the light
emitting device (11) and a strip line (12) for electrically connecting the
light emitting device (11) and the light emitting control unit are
formed.  The light emitting device is not limited only if it generates a
light by supplying a current, for example a light emitting diode LED can be
used.  The light emitting diode LED is a device for changing an electric
signal into a light emitting signal in accordance with the electric signal
applied from a light emitting control unit (Signal 4 of Fig. 2) which will be
described.    
Preferably, the light emitting
device (11) has a plurality of devices arranged in a line or in a plurality of
lines on a substrate (6).  An example of an arrangement of a light
emitting device (11) in a light emitting pattern forming unit (1) is shown in
Fig. 1.  The light emitting device is arranged at a predetermined place in
a line, each device turning on/off in accordance with a predetermined electric
signal applied from the light emitting control unit.  For each device, the
turning on/off for emitting a light is performed by a predetermined period and
the light emitting signals create an afterimage effect to be displayed as a
predetermined letter or a logo by those who look at from the
outside.    
The substrate (6) is made of a
ductile material such as polyimide, having a copperfoil strip line (12) in the
inside and input/output ports at its ends.  The substrate (6) provides
with a path for transmitting an electric signal output from the light emitting
control unit to the light emitting device (11) attached on the end.  
The light emitting pattern forming
unit (1) of the above configuration is positioned on the tire sidewall and then
coated with epoxy etc. to be completely attached or is fixed safely at a
regular groove formed at the tire sidewall.   
Fig. 2 is an entire system configurational
view of a light emitting device suggested as a preferred embodiment of the
present invention and includes a light emitting pattern forming unit (1), a
light emitting control unit (4) and a power supply unit (5).  The power
supply unit (5) supplies power to the light emitting control unit (4) and the
light emitting control unit (4) includes a power receiver, a microprocessor
(MICOM) and an LED driver. 
A process to be displayed as a
letter or a logo now will be described in detail with reference to Fig.
3.  Fig. 3(a) to (c) shows each state of the first, the middle and the
last of a light emitting pattern for forming one letter or logo.  This
represents the state of a light emitting pattern forming unit (1) within a
concerned angle in accordance with 360o/n rotations of a tire. 
For example, the position of the signal (a) is repeated by one rotation period
of a tire and the one rotation period of the tire rotates 17 turns for one
second per 1000PRM if a gear ratio is 1:1.  Therefore, it is possible to
obtain an adequate time period of 1/16seconds required for performing an
afterimage effect efficiently.  A specified light emitting pattern of a
light emitting device at a concerned position remains an afterimage for one
rotation period of a tire to be displayed.  Likewise, the afterimage
remains at the middle step (b) and the last step (c) also after a period time
passes so that a specified letter is displayed at every 360o/n
rotations of a tire.  At this time, n is a positive number which is set in
accordance with the size of the letter to be shown.  For example, in case
that the letter to be displayed is shown within a central angel of 30 o/n
rotations, n is 12.  
The light emitting control unit
(4) includes a power receiver, a MICOM and a LED drive.  A digital signal
treated in the MICOM operates a drive to drive a light emitting device and the
digital signal includes an operational signal for exactly displaying a light
emitting pattern in accordance with the positions in a tire of a light emitting
pattern forming unit (1).  In order to control the operational signals, a
sensor may be used.  If a sensor is used, the positions where a letter or
a logo in a tire is displayed can be fixed more exactly.  It is possible
to adjust more exactly the positions where to display by controlling a light
emitting timing, if required.  Accordingly, it is possible to select and
fix the positions where to display to an upper portion, a lower portion or a
side portion of a tire sidewall.  A sensor may apply a detected signal to
the light emitting control unit (4) so that the light emitting pattern forming
unit (1) reaches a regular position in a circle from a tire tread unit and a point
of contacting an earth surface or emits a light a regular time after a
specified portion of a tire tread reaches an earth surface in consideration of
a rotational velocity of a wheel.  For example, in case that the light
emitting pattern forming unit (1) is attached on sides of the tire sidewall
(3), a sensor for detecting positions of the light emitting pattern forming
unit (1) is attached at a predetermined position of a car or a piezo-electric
sensor is put on a tire tread unit to apply a signal to a light emitting
control unit so that the first light emitting signal, for example a determined
pattern is displayed at the position of Fig. 3(a) at a regular time (or a
regular position) after the piezo-electric sensor reaches the earth
surface.  Likewise, the light emitting control unit receives a signal from
a sensor and controls the light emitting pattern forming unit (1) so that a
light emitting signal with specific patterns (light emitting signal at the
positions (b) and (c)) with an interval of a regular time from the position of
(a) since a regular time.  As described above, the first light emitting
position represented as (a) can be adjusted into another position of a tire
sidewall by controlling the timing.  
The light emitting device
according to the present invention can be managed in a database with a
predetermined file type so that various letters or logos designated by a user
are displayed.  Preferably, the data can be stored and managed in a
storing device in MICOM and a designated letter or a logo can be selected and
displayed by a user.  This designation behavior can be carried out through
input/output terminals of MICOM via additional input devices capable of being attached
inside a car.  It would rather that a user directly inputs letters to be display
to the input devices, if required.   
Fig. 4 is a procedural view
showing an operational process of a light emitting device according to the present
invention.  In the step 401, a driver turns on and designates a letter or
a logo to be displayed.  This is carried out using an additional input
terminal prepared close to the driver.  If the behavior for designating a
letter or a logo to be displayed is completed by a user, the MICOM drives a
sensor in the step 402.  For example, in case of a piezo-electric sensor,
a predetermined electric signal is applied through an input terminal of MICOM
at a point where a tire tread unit contacts an earth surface and MICOM receives
information of current rotational velocity of a wheel from a sensor and
controls a light emitting timing in accordance with the velocity to perform a
light emitting with a predetermined pattern from the first position of emitting
a light in the light emitting pattern forming unit to a predetermined
interval.  In the step 404, in case that the current velocity of a wheel
is changed over a certain value, the timing of emitting a light is controlled
again and a light emitting is performed from the first position of emitting a
light in the light emitting pattern forming unit to a predetermined interval
with a predetermined pattern.   
Another power supply unit (5) is
provided to the light emitting control unit (4) for the purpose of supplying a
power.  The power supply unit (5) inserts a nickel cadmium batter inside
the wheel (2) or may be a generator capable of changing a rotational energy
into an electric energy.  It is preferable that the power supply unit (5)
be provided with a device capable of playing a role in carrying out power
receiving and transmitting so that a driver turns on and out.  The power
supply unit (5) and the light emitting pattern forming unit (1) are connected
by a plate type wire with the thickness less than 0.3mm, a rubber with the
thickness of 1.25sq or a wire (6) coated with a material such as silicon
asbestos or nickel asbestos.  As shown in Fig. 5, the wire is exposed to
the outside of the power supply unit (5) to be connected to the light emitting
pattern forming unit (1).  
FIG. 5 is an enforcement view of
the state having a tire wheel and a side wall on the light emitting device
according to the present invention.  The light emitting pattern forming
unit (1) is inserted or attached/fixed on tire sidewalls (3) and the light emitting
control unit (4) and the power supply unit (5) arrive at an upper groove of
each tire wheel (2).  In addition, the light emitting control unit (4) and
the light emitting patter forming unit (1) are interconnected by wires in
general, but wireless interconnecting them would make no difference.  It
is possible to fix the position of the light emitting control unit (4) and the
power supply unit (5) to the position which is different from the light
emitting pattern forming unit (1) of sidewalls instead of wheels.  
The present invention provides
with an entire or some of constitutional components configuring the light
emitting device.  The minimum constitutional components required for such
tire is a light emitting pattern forming unit (1) attached on tire sidewalls
(3); a light emitting control unit (4) for controlling on/off of the light
emitting device (11) attached on the light emitting pattern forming unit (1);
and a power supply unit (5) for supplying a power to the light emitting control
unit (4) and the light emitting device (11).
FIG. 6 shows a process for
displaying a letter at the state of driving a car having a light emitting
device on the tire sidewalls.  According to the present invention, in
spite that the tire sidewall (3) is rotated, the state where the letter
designated by a driver displays the letter “K” from an afterimage due to a
light emitting pattern of a light emitting pattern forming unit (1) at the
first position.  A light emitting tire according to the present invention
can display a letter with a very excellent visuality and display a desired
letter in accordance with the taste of a user, therefore it is expected to
embrace a wide range of users.  
According to the present
invention, it is possible to enlighten a specified letter or a logo at the
exposed portions of a tire when driving a car especially at night to maximize
the visual effects and display a specified letter or logo selected by a user
therefore, a highly valued tire can be produced.   
Although the preferred embodiments
of the present invention have been disclosed for illustrative purposes, those
skilled in the art will appreciate that various modifications, additions and
substitutions are possible, without departing from the scope and spirit of the
invention as disclosed in the accompanying claims.   
3   Brief Description of Drawings
BRIEF DESCRIPTION OF THE
DRAWINGS
The above and other objects,
features and advantages of the present invention will be more clearly
understood from the following detailed description taken in conjunction with
the accompanying drawings, in which: 
FIG. 1 shows an embodiment of a
light emitting pattern forming unit suggested as a preferred embodiment of the
present invention; 
FIG. 2 is an entire configurational
view of a light emitting device suggested as a preferred embodiment of the
present invention;
FIG. 3 is a light emitting pattern
view of a light emitting diode according to rotations of a tire sidewall as a
preferred embodiment of the present invention ((a)the first  light
emitting position for showing a predetermined letter, (b)the middle position
and (c)the last position); 
FIG. 4 is a procedural view
showing an operational process of a light emitting device according to the
present invention;   
FIG. 5 is an enforcement view of
the state having a tire wheel and a side wall on the light emitting device
according to the present invention; and   
FIG. 6 is an exemplary view
displaying the state driving a car having a light emitting pattern forming unit
on a tire sidewall.  
1. A light emitting device for a
tire, comprising:
a light emitting pattern forming
unit attached on a predetermined position of a tire sidewall, having at least
one light emitting device in a regular array;  
a light emitting control unit for
controlling on/off of each light emitting device in accordance with a
predetermined light emitting pattern by a regular period; and
a power supply unit for supplying
a power to the light emitting control unit and the light emitting device. 
2. The device of claim 1, further
comprising: a sensor section for selecting the first light emitting position. 
3. The device of claim 1, further
comprising: an input device for selecting a letter or a logo to be displayed. 
4. The device of claim 1, further
comprising: an input device for directly inputting a letter to be displayed. 
5. The device of claim 3, wherein
the input device has further comprise a position selecting section capable of
determining positions for displaying a letter or a logo to be displayed.  
6. The device of claim 1, wherein
the light emitting device is a LED. 
7. A tire equipped with a light
emitting device, comprising: a light emitting pattern forming unit attached on
a predetermined position of a tire sidewall, having at least one light emitting
device in a regular array;  
a light emitting control unit for
controlling on/off of each light emitting device in accordance with a
predetermined light emitting pattern by a regular period; and
a power supply unit for supplying
a power to the light emitting control unit and the light emitting
device.   
1   Abstract
ABSTRACT
Disclosed herein is a light
emitting device for a tire, comprising: a light emitting pattern forming unit
attached on a predetermined position of a tire sidewall, having at least one
light emitting device in a regular array; a light emitting control unit for
controlling on/off of each light emitting device in accordance with a
predetermined light emitting pattern by a regular period; and a power supply
unit for supplying a power to the light emitting control unit and the light
emitting device.   
2   Representative Drawing
Fig.1
【図１】
2007126138.tif 000009
【図２】
2007126138.tif 000010
【図３】
2007126138.tif 000011
【図４】
2007126138.tif 000012
【図５】
2007126138.tif 000013
【図６】
2007126138.tif 000014